(57)【要約】【課題】流量計の使用特性を改善する。【解決手段】測定ユニットを収容するベース体３と、該ベース体３に取り付けられていて折り畳み可能な材料から成る測定ホッパ４とを備え、該測定ホッパ４が運搬位置から使用位置に変化可能である流量計１であって、前記測定ホッパ４によって形成されたホッパ開口５内に、折り畳み可能な材料から成る整流器６が配置されており、該整流器６は、運搬位置と使用位置との間において変化可能であり、前記整流器６は使用位置において前記測定ホッパ４に適合する。【選択図】図３
2015132604.tif 000002
【特許請求の範囲】
【請求項１】
測定ユニットを収容するベース体（３）と、該ベース体（３）に取り付けられていて折り畳み可能な材料から成る測定ホッパ（４）とを備え、該測定ホッパ（４）が運搬位置から使用位置に変化可能である流量計（１）であって、
前記測定ホッパ（４）によって形成されたホッパ開口（５）内に、折り畳み可能な材料から成る整流器（６）が配置されており、該整流器（６）は、運搬位置と使用位置との間において変化可能であり、前記整流器（６）は使用位置において前記測定ホッパ（４）に適合することを特徴とする流量計（１）。
【請求項２】
テンション装置（７）が設けられていて、該テンション装置（７）によって前記測定ホッパ（４）は、運搬位置から使用位置に拡張可能である、請求項１記載の流量計（１）。
【請求項３】
前記整流器（６）は、特に１つの操作ステップで前記測定ホッパ（４）と共に、前記テンション装置（７）によって拡張可能であるか、又は特に１つの操作ステップで前記測定ホッパ（４）と共に、前記整流器（６）を拡張可能であるテンション装置（７）が設けられている、請求項１又は２記載の流量計（１）。
【請求項４】
前記テンション装置（７）は、前記測定ホッパ（４）の空気入口（９）に形成された剛性のフレーム（８）に作用する、請求項２又は３記載の流量計（１）。
【請求項５】
前記整流器（６）は、前記測定ホッパ（４）に解離可能に取り付けられているか、又は前記整流器（６）は、前記測定ホッパ（４）と一体に結合されている、請求項１から４までのいずれか１項記載の流量計（１）。
【請求項６】
前記整流器（６）は使用位置において少なくとも部分的に、前記ベース体（３）から離れた半部（１０）に配置されており、かつ／又は、前記測定ホッパ（４）の前記空気入口（９）に配置されているか、前記測定ホッパ（４）の空気入口（９）に配置されている、請求項１から５までのいずれか１項記載の流量計（１）。
【請求項７】
前記整流器（６）は使用位置において、複数の空気貫流路（１１）から成るアッセンブリを形成していて、該空気貫流路（１１）によって、前記測定ホッパ（４）における空気流のむらをなくすことができる、請求項１から６までのいずれか１項記載の流量計（１）。
【請求項８】
前記空気貫流路（１１）は、折り畳み可能な仕切り壁（１２）によって互いに隔てられている、請求項７記載の流量計（１）。
【請求項９】
前記折り畳み可能な材料は、布地、皮革及び／又はプラスチックから成っている、請求項１から８までのいずれか１項記載の流量計（１）。
【発明の詳細な説明】
【技術分野】
【０００１】
本発明は、測定ユニットを収容するベース体と、該ベース体に取り付けられていて折り畳み可能な材料から成る測定ホッパとを備え、該測定ホッパが運搬位置から使用位置に変化可能である流量計に関する。
【背景技術】
【０００２】
このような流量計は、例えば容積流フード（Volumenstromhaube）として公知であり、建物通気装置の給気口又は排気口を通る容積流を測定するのに使用される。
【０００３】
そのために測定ホッパは空気入口で、建物通気装置の給気口又は排気口に装着される。これにより例えばアネモメータもしくは風速計である測定装置によって、給気口又は排気口を通る容積流を測定することができる。
【０００４】
測定ホッパを折り畳み可能な材料から形成して、測定ホッパを運搬位置に折り畳むことができるようにすることは公知である。この運搬位置において、測定ホッパは僅かなスペースしか要せず、容易に運搬することができる。
【０００５】
流量計では、測定すべき流れが渦流を有している場合に、大きな測定誤差が生じ得ることが判明している。このような測定誤差は、測定値の５０％又はそれ以上の大きさになることがある。そこで、空気流から渦流を排除することができる整流器を使用することが提案されており、この提案では、整流器の長手方向軸線に対して、特定の限界値を上回る流れ角度を有する流れ成分は、整流もしくは変向されるようになっている。
【０００６】
独国特許発明第１０１３９５４２号明細書では、測定を持続させるための整流器として薄板格子構造体を、渦流分配器として形成された給気口の空気ガイドエレメントに直に配置することが提案されている。しかしながらこの構成は、測定の前に整流器を別個に組み立てかつ組み付けることを必要とする。
【先行技術文献】
【特許文献】
【０００７】
【特許文献１】独国特許発明第１０１３９５４２号明細書
【発明の概要】
【発明が解決しようとする課題】
【０００８】
ゆえに本発明の課題は、流量計の使用特性を改善することである。
【課題を解決するための手段】
【０００９】
この課題は、請求項１の特徴部に記載の構成によって解決することができる。
【００１０】
特に本発明の構成では、冒頭に述べた形式の流量計において、測定ホッパによって形成されたホッパ開口内に、折り畳み可能な材料から成る整流器が配置されており、該整流器は、運搬位置と使用位置との間において変化可能であり、整流器は使用位置において測定ホッパに適合するようになっている。
【発明の効果】
【００１１】
本発明の構成には、流量計は、運搬位置において同様に小さな寸法を有する整流器を備えることができるという利点がある。さらに、整流器が測定ホッパの使用位置において使用のために既に準備されている、という利点もある。従って、整流器のための追加的な組立てステップもしくは組付けステップを省くことができる。このことは、流量計の取扱いを大幅に簡単化し、ひいては使用特性の改善を意味する。
【００１２】
本発明の１つの態様では、テンション装置が設けられていて、該テンション装置によって測定ホッパは、運搬位置から使用位置に拡張可能である。このような構成では、流量計の運転開始を簡単な取扱いで達成することができる。テンション装置は好ましくは、測定ホッパを使用位置において拡張状態に保つ複数のテンションバーから成るアッセンブリを有している。
【００１３】
本発明の別の態様では、整流器は、テンション装置によって、例えば既に述べたテンション装置によって拡張可能である。この態様には、整流器を簡単な操作ステップで使用位置にもたらすことができる、という利点がある。この態様において、整流器が１つの操作ステップで測定ホッパと共に拡張可能であると、特に好適である。従って流量計は、測定ホッパと整流器とが一緒に又は相前後して使用位置に移動させられるただ１つの操作ステップによって、使用のために準備することができる。
【００１４】
逆に、上記態様では、テンション装置を弛緩もしくは解除することによって、整流器及び／又は測定ホッパを運搬位置に折り畳むことができる。
【００１５】
本発明の別の態様では、測定ホッパはその空気入口に剛性のフレームを有している。この態様には、測定ホッパが十分なシール性をもって、建物通気装置の給気口又は排気口に設置可能であるという利点がある。そのために剛性のフレームには、密な閉鎖部を生ぜしめるために、シールリップが形成されていてよい。
【００１６】
このような態様において、テンション装置は前記フレームに作用しているか、又は測定ホッパの空気入口に形成された剛性のフレームに作用するように構成されていてよい。このような態様には、いずれにせよ設けられている剛性のフレームをテンション装置のための作用ポイントとして使用することができ、好適である。
【００１７】
本発明の別の態様では、記整流器は、測定ホッパに解離可能に取り付けられているように構成されている。この態様では、整流器を、他の整流器、例えば他の整流特性を備えた整流器、又は新たな整流器と交換することができ、好適である。
【００１８】
択一的に、整流器は、測定ホッパと一体に結合されている態様も可能である。この態様には、整流器が紛失しないように測定ホッパに固定されているという利点がある。例えば整流器は、測定ホッパ内に縫い付けられていても、又は測定ホッパに溶接又は接着されていても、又は他の形式で、材料結合式（stoffschluessig）、摩擦力結合式（kraftschluessig）及び／又は形状結合式（formschluessig）に結合されていてもよい。
【００１９】
測定ホッパと整流器とが同一の材料から製造されていると、特に好適である。
【００２０】
本発明の別の態様では、整流器は少なくとも部分的に、ベース体から離れた半部に配置されており、かつ／又は、整流器の空気入口に、例えば整流器の既に述べた空気入口に配置されている。この態様には、空気流の効果的な整流を達成することができる、という利点がある。例えば、整流器が完全に、測定ホッパの、ベース体から離れた半部内に配置されているような態様が可能である。このような態様が十分であり、かつ測定ホッパの、ベース体側の半部における空間が自由なまま（つまり当該空間に整流器などが設けられていない状態）であっても、これによって整流の効果が損なわれないことが判明している。
【００２１】
本発明の別の態様では、整流器は使用位置において、複数の空気貫流路から成るアッセンブリを形成していて、該空気貫流路によって、測定ホッパにおける空気流のむらをなくすことができる。この態様では、整流を簡単に行うことができ、好適である。複数の空気貫流路から成るアッセンブリは、整流器の長手方向から強く変位している流れ角度を長手方向に戻すように変位させること又は反射させることを可能にする。これによって空気流の渦動を低減させることができる。空気貫流路は使用位置において管状に、例えば三角形、四角形、五角形、六角形又はその他の多角形の横断面を有して形成されていると、特に好適である。このような態様では、整流のための特に好適であることが証明されている格子構造体又はハニカム構造体が形成可能であり、好適である。
【００２２】
比較的粗い網目を有する格子構造体又はハニカム構造体を使用すると、好適であることが判明しており、このような構造体では、空気貫流路の長さは、空気貫流路の直径もしくは一辺の３倍よりも短い、特に１倍に等しいか又は１倍よりも短い長さである。空気貫流路の長さと直径もしくは一辺との比が小さければ小さいほど、構造体における篩の特性がより優勢になり、整流機能が失われる。良好な妥協策は、比がほぼ又は正確に１：１の場合である。この選択は、流量計において必要な整流と流量計の可能な限り軽い自重との間における好適な妥協策である。
【００２３】
上記の態様において、空気貫流路は、折り畳み可能な仕切り壁によって互いに隔てられている態様が可能である。この態様では、空気貫流路を運搬位置において折り畳まれるので、空気貫流路は運搬位置において小さなスペースしか必要とせず、好適である。
【００２４】
折り畳み可能な材料は、例えば布地、皮革及び／又はプラスチックから成っていてよい。このような材料から成っていると、材料の十分に良好な折り畳み可能性と同時に十分な安定性を、簡単に得ることができる。
【００２５】
以下においては、１実施形態によって本発明を詳説するが、本発明は図示の実施形態に制限されるものではない。個々の又は複数の請求項に記載された特徴を互いに組み合わせることによって、及び／又は実施形態に記載する個々の又は複数の特徴を互いに組み合わせることによって、別の実施形態を得ることができる。
【図面の簡単な説明】
【００２６】
【図１】本発明に係る流量計を、運搬位置において示す斜視図である。
【図２】図１に示した流量計を、運搬位置から使用位置への変化時において示す斜視図である。
【図３】図１に示した流量計を、使用位置において示す斜視図である。
【発明を実施するための形態】
【００２７】
次に、概略的に示した図面を参照しながら、本発明の実施の形態を説明する。
【００２８】
以下において、図１〜図３は一緒に説明する。
【００２９】
全体を参照符号１で示した容積流測定機、つまり流量計は、自体公知でありゆえにここでは詳しく述べない、容積流を測定するための測定ユニット２を有しており、この測定ユニット２は、ベース体３内に配置されている。測定ユニット２はこの場合取出し可能であっても、又はベース体３内に不動に配置されていてもよい。
【００３０】
ベース体３には、測定ホッパ４が配置されている。
【００３１】
測定ホッパ４は、折り畳み可能な材料から製造されていて、折り畳まれた運搬位置（図１）と拡張された使用位置（図３）との間において変化させることができる。図２には、この変化過程の中間位置が示されている。
【００３２】
使用位置において、測定ホッパ４はホッパ開口５を拡張しており、このホッパ開口５は、自体公知の形式で、容積流を測定するために、建物通気装置の給気口又は排気口に載置することができる。これによって測定ホッパ４は、空気流を捕捉しかつ捕捉した空気流を測定ユニット２に供給するために働く。
【００３３】
本発明に係る流量計は、ホッパ開口５に整流器６を有しており、この整流器６によって使用位置（図３）では、上に述べた空気流のむらをなくすことができる。このようにして、空気流の渦流に基づく測定誤差を減じること又は完全に排除することができる。
【００３４】
整流器６も同様に、本発明に係る流量計では、折り畳み可能な材料から製造されていて、ゆえに扁平な運搬位置（図１）と展開された使用位置（図３）との間において変化させることができる。図２には、整流器６が部分的に拡張された中間位置で示されている。
【００３５】
図３から分かるように、整流器６は使用位置において測定ホッパ４に適合していて、ホッパ開口５を完全に満たしている。
【００３６】
測定ホッパ４には、テンション装置７が形成されており、このテンション装置７によって、測定ホッパ４は使用位置への変化のために拡張可能である。
【００３７】
この場合テンション装置７は、自体公知の形式で、互いに枢着結合された複数のテンションバーから成る装置、又は複数のテンションバーから成るその他のアッセンブリを有することができる。
【００３８】
テンション装置７によって、測定ホッパ４のみならず、整流器６も１回の操作ステップで拡張する、つまり広げて緊張させることができる。
【００３９】
この場合テンション装置７は、剛性のフレーム８に係合していて、このフレーム８は、整流器６の空気入口９に形成されている。剛性のフレーム８は、整流器６を既に述べた建物通気装置の給気開口又は排気開口に、密につまりシール作用をもって設置するために役立つ。
【００４０】
言い換えれば、テンション装置７は、ベース体３と剛性のフレーム８とが互いに押し離されることによって、測定ホッパ４ひいては整流器６の材料を緊張させる。テンション装置７を弛緩もしくは解除させた後で、測定ホッパ４及び整流器６を再び平らに折り畳むことができる。
【００４１】
整流器６は図示の実施形態では、測定ホッパ４と同じ折り畳み可能な材料から製造されていて、測定ホッパ４内に縫い付けられている。これにより整流器６は、測定ホッパ４と一体に結合されている。
【００４２】
別の実施形態では整流器６は、例えばベルクロファスナを介して、測定ホッパ４と解離可能に結合されている。
【００４３】
図３から分かるように、整流器６は使用位置では完全に、測定ホッパ４の、ベース体３から離れた半部１０において、測定ホッパ４の空気入口９に配置されている。
【００４４】
整流器６は、使用位置において複数の空気貫流路１１から成るアッセンブリを形成している。
【００４５】
空気貫流路１１はそれぞれ四角形横断面を有する管状に形成されていて、仕切り壁１２によって互いに隔てられている。
【００４６】
仕切り壁１２は、測定ホッパ４と同じ折り畳み可能な材料から製造されている。
【００４７】
従って仕切り壁１２は、図１に示した運搬位置を形成するために、完全に折り畳むことが可能である。
【００４８】
仕切り壁１２は、拡張された使用位置（図３）において互いに交差した配置形態に整列され、これによって空気貫流路１１から成る格子構造体を形成することができる。
【００４９】
この格子構造体は、比較的粗い網目をもって形成されている。空気貫流路１１はそれぞれ、これらの空気貫流路１１の開口直径もしくは一辺の３倍よりも短い長さを有している。
【００５０】
測定ホッパ４及び整流器６は、図示の実施形態では、例えば織布、経編物（Gewirke）、ニット（Gestricke）、編組み織物（Geflechte）、フリース材料又はフェルトから成る縫合ニット（Naehgewirke）又はその他の面状の繊維形成物のような布地から製造されている。別の実施形態では、測定ホッパ４及び／又は整流器６は、皮革又はプラスチックから、例えばプラスチックシートから、又はその他の折り畳み可能な材料から製造することができる。
【００５１】
流量計１では、測定ホッパ４と、該測定ホッパ４内に配置された整流器６とを折り畳み可能な材料から形成して、測定ホッパ４及び整流器６が、折り畳まれた運搬位置と展開された使用位置との間において変化できるようにすることが提案される。
【符号の説明】
【００５２】
１  流量計、  ２  測定ユニット、  ３  ベース体、  ４  測定ホッパ、  ５  ホッパ開口、  ６  整流器、  ７  テンション装置、  ８  フレーム、  ９  空気入口、  １０  半部、  １１  空気貫流路、  １２  仕切り壁
【図１】
2015132604.tif 000003
【図２】
2015132604.tif 000004
【図３】
2015132604.tif 000005